(57)【要約】【課題】きわめて簡単な構造により木枠を躯体に対して的確に間隔調整することができる木枠調整用ねじを提供することにある。【解決手段】壁の開口部に取り付けた木枠と開口部の躯体との間隔を調整するねじであって、木枠を貫通して躯体にねじ込まれるタッピングねじ部と頭部の間に、木枠の厚みに対して十分な長さを有する軸部を設け、前記軸部に軸方向と直角状の溝を設け、この溝に軸部表面より外側に突出する大きさのリング状弾性部材を回転可能にはめ込んだ。【選択図】図２
2010013832.tif 000002
【特許請求の範囲】
【請求項１】
壁の開口部に取り付けた木枠と開口部の躯体との間隔を調整するねじであって、木枠を貫通して躯体にねじ込まれるタッピングねじ部と頭部の間に、木枠の厚みに対して十分な長さを有する軸部を設け、前記軸部に軸方向と直角状の溝を設け、この溝に軸部表面より外側に突出するリング状弾性部材を回転可能にはめ込んだことを特徴とする木枠調整用ねじ。
【請求項２】
リング状弾性部材は円周上の一箇所が切断された拡縮可能な金属体からなる請求項１に記載の木枠調整用ねじ。
【発明の詳細な説明】
【技術分野】
【０００１】
本発明は建物の開口部に配置される木枠の躯体に対する間隔調整に好適なねじに関する。
【背景技術】
【０００２】
建物の壁仕切り部に出入り口や窓を設ける場合、仕切り部に設けた本柱などの躯体の開口にあらかじめ木枠を取り付け、その木枠に扉、戸、窓を取り付けるのが一般的である。この場合、反りなどにより躯体に対して木枠の間隔が狂っていると、木枠の組付け精度不良により扉、戸、窓がスムーズに動かなくなったりするので、開口を形成する躯体に対して木枠の間隔などの立て付けを調整することが行なわれる。
【０００３】
かかる木枠の調整手段として従来タッピングねじが用いられており、タッピングねじを木枠内側から躯体側にねじ込み、この状態でタッピングねじを回動して木枠を躯体に接近させあるいは離間させて間隔を調整し、木枠と躯体の間にパッキン材を介装し、タッピングねじを締め付ける工程で作業が行なわれる。
【０００４】
しかし、従来のタッピングねじでは、木枠を躯体から離間させるべくねじ込み後にタッピングねじを反時計方向(左)に回すと、タッピングねじが軸方向に抜け出てしまうので、木枠を躯体から離間させることができず、したがって木枠の間隔調整をうまく行なえない問題があった。
ことに、木枠は、むく材でなくＭＤＦで代表される圧縮成形された木質ボードで作られていることが多く、このためタッピングねじの抜け止めを図ろうとしても、全く固定得られない。
【０００５】
そこで、パッキン材を介装する方法に代えて、木枠側に埋め込まれなる雌ねじ体と、これに螺合する雄ねじを外面に有し後部内面に角孔を有し、躯体側に取り付けられる調整金具本体を備えた１組の金具と、調整金具本体を通して躯体にねじ込むタッピングねじを用いたものが知られているが、部品数が多く、作業も工数が増し、煩雑になる問題があった。
【特許文献１】実用新案登録第３０９９６３２号公報
【発明の開示】
【発明が解決しようとする課題】
【０００６】
本発明は前記のような問題点を解消するためになされたもので、その目的とするところは、きわめて簡単な構造により木枠を躯体に対して的確に間隔調整することができる木枠調整用ねじを提供することにある。
【課題を解決するための手段】
【０００７】
上記目的を達成するため本発明の木枠調整用ねじは、壁の開口部に取り付けた木枠と開口部の躯体との間隔を調整するねじであって、木枠を貫通して躯体にねじ込まれるタッピングねじ部と頭部の間に、木枠の厚みに対して十分な長さを有する軸部を設け、前記軸部に軸方向と直角状の溝を設け、この溝に軸部表面より外側に突出するリング状弾性部材を回転可能にはめ込んだことを特徴としている。
【発明の効果】
【０００８】
本発明によるときには、木枠の一面からねじ込み、タッピングねじが木枠を貫通して先端から躯体にねじ込まれ、軸部がタッピングねじで明けられた木枠の孔に進入したときに、軸部に設けた溝に嵌められているリング状弾性部材は孔壁側から圧迫されて内径側を溝底に接触しながら進み、タッピングねじが躯体に十分にねじ込まれて停止すると、リング状弾性部材は停止位置において反発力で孔壁に食い込むように強接し、強固に固定される。
その後に木枠を躯体と間隔を広げるべく頭部に工具を係合して本ねじを左回転させたときに、溝に嵌っているリング状弾性部材が孔壁に食い込み、軸部の位置を固定しているので、軸部は軸方向に抜け出すことがなく空転し、したがってタッピングねじの回転で木枠と躯体との間隔を広げることができる。このとき、リング状弾性部材は溝底に対して強接しておらず、相対回転が許容される状態にある。このため軸方向で抜け止め状態にあるリング状弾性部材が軸受け機能を発揮し、軸部を支えつつタッピングねじの抵抗力よりもはるかに小さい抵抗力で軸部の回転をスムーズに行わせる。したがって間隔調整をタッピングねじだけで簡単かつ的確に行うことができ、コスト削減を図ることができる。
【発明を実施するための最良の形態】
【０００９】
リング状弾性部材は円周上の一箇所が切断された拡縮可能な金属体からなる。
これによれば、軸部への組みつけが容易であり、木枠に対する固定力と軸部の回転に対する軸受け作用を効果的に果たすことができる。
【実施例１】
【００１０】
以下、添付図面を参照して本発明の実施例を説明する。
図１と図２は本発明によるタッピングねじの使用状態を示しており、Ａは仕切り壁Ｂの開口を画成する木質の躯体、Ｃは躯体の内側に配置された木枠であり、ＭＤＦなどの材質からなる。
１は本発明による木枠調整ねじであり、前記木枠Ｃの内側面に設けられた凹部Ｅから木枠Ｃを貫通して躯体Ａにねじ込まれている。Ｄは躯体Ａと間隔調整後の木枠Ｃとの間に介装されたパッキン材である。
【００１１】
前記木枠調整ねじ１は、図３に示されており、木枠Ｃを貫通して躯体Ａに十分な長さねじ込まれるタッピングねじ部２と、このタッピングねじ部２の上方に連続形成された軸部３と、軸部３の上端に形成された頭部４を備えている。
【００１２】
前記軸部３は、木枠Ｃの厚みに対して１/２以上の長さを有しており、タッピングねじ部２よりも直径が適度に小さい。
そうした軸部３の半部よりも下方、好適にはテーパ部に近い下端部領域に、軸方向と直角状に溝５が形成されており、その溝５にリング状弾性部材６が、常態において周方向に回転可能なように微小な隙間７を持たせて嵌め込まれている。すなわち遊嵌状態であり、この意味から、Ｏリングのように溝底にぴったりと嵌まる態様は不適である。
【００１３】
リング状弾性部材６は円周上の一箇所が切断された分割部６０により拡縮可能であり、軸部表面より適度に半径方向に突出し、かつ外れて軸方向に移動したりしないように溝５に嵌め込まれている。
リング状弾性部材６は、分割部６０に加力しないノーマル状態において、外周面の径が軸部径よりも大きく、タッピング部外径と略同等であり、溝５は溝幅がリング状弾性部材６の太さよりも大きく、溝径はリング状弾性部材６の内径とほぼ等しい関係になっている。リング状弾性部材６は細くても十分に効果を発揮し、たとえば、太さ０．７〜１．２０ｍｍで足りる。
【００１４】
リング状弾性部材６は木枠Ｃの孔への圧入時にはずれたり、塑性変形したり、凝着を起こしてはいけないので、樹脂などでなく、金属で構成されていることが好ましい。硬さは木枠Ｃの材質に応じてばね鋼などの硬いもの、鉄や銅、アルミニウムなど軟質なものなどが選定される。
リング状弾性部材６は実施例では単一であるが、軸部５の長手方向で間隔を置いて複数個配されていてもよい。この場合、各リング状弾性部材の大きさは同じでも、異なっていてもよい。
【００１５】
本発明の使用法と作用を説明すると、図４のように木枠Ｃの内側面に設けられた凹部Ｅに配し、頭部４に工具を係合してタッピングねじ部２を木枠Ｃを貫通させて躯体Ａにねじ込み、仮締め付けを行う。このときに、軸部３はタッピングねじ部２で穿設された木枠Ｃの孔ｃに回転しながら進入していき、軸部３に嵌められているリング状弾性部材６は孔壁との接触で半径方向から押圧され、縮径して溝５に密着し、軸部と一体になって木枠Ｃ中に埋め込まれていく。
【００１６】
そして、リング状弾性部材６が木枠Ｃの端部付近に到って止まると、リング状弾性部材６への周囲からの圧迫が開放されるので、リング状弾性部材６は反発力で図４(ｂ)の矢印のように孔壁に食い込み、木枠ＣがＭＤＦといった固定力の乏しい材質であっても強固に固定される。
【００１７】
次に間隔調整のために、図５のように、本発明ねじ１を逆回転させると、通常のタッピングねじでは、ねじそのものが軸方向移動して抜け出てしまうが、本発明ではリング状弾性部材６が溝に嵌まったまま拡径して強力なストッパーとして孔壁に食い込み、軸部３の軸方向位置を固定するので、ねじ１を逆回転させてもねじは抜け出さず、ねじ１の回転量に応じて木枠Ｃが躯体Ａから離間される。
このときに、リング状弾性部材６は拡径状態にあるので、溝５との間に相対回転を許容する微小な隙間が形成され、これにより、リング状弾性部材６は軸部２に対する回転軸受けの機能を発揮し、図５（ｂ）のように軸部２は軸線方向への移動が止められた状態でスムーズに回転することができる。
【００１８】
こうして適当な間隔が設定されたならば、木枠Ｃと躯体Ａの間に木片などのパッキン材Ｄを介装し、本発明ねじ１を正転させて締め付けを行う。このときにはタッピングねじ部２が躯体Ａに進出し、軸部３が軸方向に移動するので、図４のときと同じようにリング状弾性部材６が縮径されて軸部３と一体に孔中を移動し、締め付け完了と同時に拡径して孔壁に食い込みストッパーとして機能し、所定の位置で強固に固定される。したがって、木枠ＣがＭＤＦといった固定力の乏しい材質であっても十分な締め付け効果が得られ、木枠の間隔を的確に調整できる。
【図面の簡単な説明】
【００１９】
【図１】本発明による木枠間隔調整ねじの使用状態を示す正面図である。
【図２】図１の拡大断面図である。
【図３】（ａ）は本発明による木枠間隔調整ねじの単体の状態の正面図、(ｂ)はその軸部の拡大断）は面図、(ｃ)は横断面図、（ｄ）はリング状弾性部材の斜視図である。
【図４】（ａ）は調整時の第１段階である仮締め付け工程を示す側面図、（ｂ)は部分的拡大図である。
【図５】（ａ）は調整時の第２段階である間隔広げ工程を示す側面図、（ｂ)は部分的拡大図である。
【図６】調整時の第３段階である締め工程を示す側面図である。
【符号の説明】
【００２０】
１  本発明ねじ
２  タッピングねじ部
３  軸部
４  頭部
５  溝
６  リング状弾性部材６
Ａ  躯体
Ｃ  木枠 
【図１】
2010013832.tif 000003
【図２】
2010013832.tif 000004
【図３】
2010013832.tif 000005
【図４】
2010013832.tif 000006
【図５】
2010013832.tif 000007
【図６】
2010013832.tif 000008